(57)【要約】【課題】  データ記録装置に保存されたデータの容量に応じて図記号、ファイル又はホルダを、異なる図柄、表示色又は表示パターンとして画面表示部に表示することで、その容量に対応する記録媒体を適正且つ迅速に選択できるようにしたデータ記録装置に保存したファイルまたはデータの表示方法を提供する。【解決手段】  画面表示部に表示される図記号が、保存されるデータ量に応じて異なる表示色、又は異なる図柄として、上記ファイル又はファイルが含まれるホルダが、保存されるデータ量に応じて異なる表示色、又は表示パターンとして表示するようにし、表示された図記号の表示色又は図柄が有するデータ量、或いは表示されたファイルやホルダの表示色、又は表示パターンが有するデータ量に対応する記憶容量の記録媒体が選択されるようにした。【選択図】  図１
2007334700.tif 000002
【特許請求の範囲】
【請求項１】
データ記録装置に保存したファイル又はデータを、図記号として画面表示部に表示するようにしたデータの表示方法において、
上記図記号は、保存されるデータ量に応じて異なる表示色、又は異なる図柄として表示するようにし、表示された図記号の表示色、又は図柄が有するデータ量に対応する記憶容量の記録媒体が選択されるようにしたことを特徴とするデータの表示方法。
【請求項２】
画面表示部に表示される単一又は複数のファイル或いはデータを含む図記号が選択された状態で、上記図記号が、選択された範囲全体の保存されるデータ量に応じてその表示色、又は図柄を変えるようにしたことを特徴とする請求項１に記載のデータ記録装置に保存したファイルまたはデータの表示方法。
【請求項３】
データ記録装置に保存したファイル又はファイルが含まれるホルダを、画面表示部に表示するようにしたデータの表示方法において、
上記ファイル又はファイルが含まれるホルダは、保存されるデータ量に応じて異なる表示色、又は異なる表示パターンとして表示するようにし、表示されたファイルやホルダの表示色、又は表示パターンが有するデータ量に対応する記憶容量の記録媒体が選択されるようにしたことを特徴とするデータ記録装置に保存したファイルまたはデータの表示方法。
【請求項４】
画面表示部に表示される単一又は複数のファイル或いはファイルが含まれるホルダが選択された状態で、上記単一又は複数のファイル或いはファイルが含まれるホルダが、選択された範囲全体の保存されるデータ量に応じてその表示色、又は表示パターンを変えるようにしたことを特徴とする請求項３に記載のデータ記録装置に保存したファイルまたはデータの表示方法。
【請求項５】
上記表示は、保存される容量に応じて上記図記号の図柄、表示色、或いはファイル、ホルダの表示色又は表示パターンを、視覚上識別可能な形態でのみ任意に設定するようにしたことを特徴とする請求項１乃至４の何れかに記載のデータ記録装置に保存したファイルまたはデータの表示方法。
【発明の詳細な説明】
【技術分野】
【０００１】
本発明は、パーソナルコンピュータ（パソコン）やデータ記録装置に保存したファイルまたはデータの表示方法に関する。
【背景技術】
【０００２】
従来より、データや文書、画像、動画などの作成編集は、パソコンが多く使用されているが、上記パソコンで処理するデータ、ファイルは数多くある。近年では、パソコンでの動画鑑賞、動画保存も多く行われており、ファイル容量も大容量となっている。
【０００３】
従来は、文書ファイルやデータファイルが主で記録媒体の一つであるフロッピー（登録商標）があればそのファイルは十分に保存することができた。ところが、近年では、そのファイルの種類も非常に多く、特に動画ファイルは、容量も大きくパソコン内に保存したデータは、主にハードディスクに保存されるが、このハードディスクも消耗品であり、バックアップとして記録媒体であるフロッピー（登録商標）、ＣＤ、ＤＶＤ等に容量に応じて保存されるようになっている。
【０００４】
上記フロッピー（登録商標）、ＣＤ、ＤＶＤ等は、記憶容量に制限がありその容量内でしか記録ができないため、図１１に示すように、記録する前にそのデータファイルＦｗ，Ｆｘ又はデータファイルが含まれるホルダＨｘの容量を確認し、記録が可能か否かを計算してから記録する必要がある。
【０００５】
場合によっては、記録媒体の容量より保存するデータの容量が多く、保存終了の間際に容量が一杯で保存ができないと表示されることがあるため、その間の作業が無駄になってしまう問題を有している。
【０００６】
また、画像記録装置などにおいて、テレビ番組をハードディスクに録画し、ＤＶＤに保存する場合は、その記録媒体の容量が記録するＤＶＤ容量より大きい場合は自動的にトランスコードが行われて記録した画像に比べて劣化した画質での記録となってしまい、録画した人が知らないうちに大切な画像が劣化状態で保存されることになる問題点を有していた。
【０００７】
上記の問題点を解決したデータ表示装置として、データ保存領域に格納される単一または複数のデータを、データまたはデータ種毎に対応する色で、且つ容量の割合で画面表示部に表示することでデータ管理の視覚化を可能にしたものが提案されている（特許分文献１参照）。
【０００８】
このデータ表示装置は、画面表示部の一部を構成する表示画面は、保存配置表示部とデータ名称表示部との２つを含んでおり、保存配置表示部には、一例として複数のデータ部が表示されており、これらデータはデータ毎に対応色で容量の割合で塗りつぶされている。
【０００９】
そして、初期画面では、表示順番の先頭のデータにフォーカスを当てて、頭のデータを選択すると、太線が施されている枠がフォーカス表示であることが判り、データ名称表示部には、フォーカスされているデータの名称が表示されてフォーカスされているデータに対してデータ操作を行うことが可能となる。このようにして、各データ容量の全体に占める割合を視覚的に把握することができ、データの保存領域の空き容量も視覚的に把握することができるようにしたものである。
【００１０】
【特許文献１】特開２００５−２７５６３７号公報
【発明の開示】
【発明が解決しようとする課題】
【００１１】
ところで、上記のデータ表示装置では、ファイルの表示状態でデータの容量は表示されるが、見ただけではどの記録媒体に保存するのが適正か計算する必要があり直ぐには判断できない問題点を有していた。
【００１２】
本発明は、このような要望に着目してなされたもので、データ記録装置に保存されたデータの容量に応じて図記号、ファイル又はホルダを、異なる図柄、表示色又は表示パターンとして画面表示部に表示することで、その容量に対応する記録媒体を適正且つ迅速に選択できるようにしたデータ記録装置内に保存したデータの表示方法を提供することを目的とする。
【課題を解決するための手段】
【００１３】
上記目的を解決するために、本発明の請求項１に記載のデータ記録装置に保存したファイルまたはデータの表示方法は、データ記録装置に保存したファイル又はデータを、図記号として画面表示部に表示するようにしたデータの表示方法において、上記図記号は、保存されるデータ量に応じて異なる表示色、又は異なる図柄として表示するようにし、表示された図記号の表示色、又は図柄が有するデータ量に対応する記憶容量の記録媒体が選択されるようにしたことを特徴とするデータ記録装置に保存したファイルまたはデータの表示方法である。
上記のデータ記録装置に保存したファイルまたはデータの表示方法によれば、画面表示部に表示される図記号を、データ記録装置に保存されたデータの容量に応じて異なる表示色又は図柄として表示することで、その容量に対応する記録媒体が適正且つ迅速に選択される。
【００１４】
本発明の請求項２に記載のデータ記録装置に保存したファイルまたはデータの表示方法は、画面表示部に表示される単一又は複数のファイル或いはデータを含む図記号が選択された状態で、上記図記号が、選択された範囲全体の保存されるデータ量に応じてその表示色、又は図柄を変えるようにしたことを特徴とするデータ記録装置に保存したファイルまたはデータの表示方法である。
上記のデータ記録装置に保存したファイルまたはデータの表示方法によれば、画面表示部に表示される単一又は複数のファイル或いはデータを含む図記号が選択されると、選択された範囲全体の保存されるデータ量に応じてその表示色、又は図柄が変えられる。
【００１５】
本発明の請求項３に記載のデータ記録装置に保存したファイルまたはデータの表示方法は、データ記録装置に保存したファイル又はファイルが含まれるホルダを、画面表示部に表示するようにしたデータの表示方法において、上記ファイル又はファイルが含まれるホルダは、保存されるデータ量に応じて異なる表示色、又は異なる表示パターンとして表示するようにし、表示されたファイルやホルダの表示色、又は表示パターンが有するデータ量に対応する記憶容量の記録媒体が選択されるようにしたことを特徴とするデータ記録装置に保存したファイルまたはデータの表示方法である。
上記のデータ記録装置に保存したファイルまたはデータの表示方法によれば、画面表示部に表示されるファイル又はファイルが含まれるホルダを、データの容量に応じて異なる表示色又は表示パターンとして表示することで、その容量に対応する記録媒体が適正且つ迅速に選択される。
【００１６】
本発明の請求項４に記載のデータ記録装置に保存したファイルまたはデータの表示方法は、画面表示部に表示される単一又は複数のファイル或いはファイルが含まれるホルダが選択された状態で、上記単一又は複数のファイル或いはファイルが含まれるホルダが、選択された範囲全体の保存されるデータ量に応じてその表示色、又は表示パターンを変えるようにしたことを特徴とするデータ記録装置に保存したファイルまたはデータの表示方法である。
上記のデータ記録装置に保存したファイルまたはデータの表示方法によれば、画面表示部に表示される単一又は複数のファイル或いはファイルが含まれるホルダが選択されると、選択された範囲全体の保存されるデータ量に応じてその表示色、又は表示パターンが変えられる。
【００１７】
本発明の請求項５に記載のデータ記録装置に保存したファイルまたはデータの表示方法は、上記表示が、保存される容量に応じて上記図記号の図柄、表示色、或いはファイル、ホルダの表示色又は表示パターンを、視覚上識別可能な形態でのみ任意に設定するようにしたことを特徴とするデータ記録装置に保存したファイルまたはデータの表示方法である。
上記のデータ記録装置に保存したファイルまたはデータの表示方法によれば、画面表示部に表示された図記号の図柄、表示色又はファイル、ホルダの表示色、表示パターンは、保存される容量に応じて視覚上識別可能な形態でのみ任意に設定できるようにし、視覚上識別不可能な同一形態では設定できないようにする。
【発明の効果】
【００１８】
本発明は以下の効果を奏する。
【００１９】
請求項１に記載の発明によれば、データ記録装置に保存したファイル又はデータの容量に応じて、図記号が画面表示部に異なる表示色、又は図柄で表示されるので、上記表示色、又は図柄を見るだけでその容量を確認することができると共に、その容量に対応する記録媒体を直ぐに選定することができるので、容量不足による記録のやり直しを行わずに一度に上記図記号を確実に保存することができる。
【００２０】
請求項２に記載の発明によれば、画面表示部に表示された単一又は複数のファイル或いはデータを含む図記号を選択した状態で、その選択範囲全体の容量により、表示色、又は図柄が変わることで、その容量を確認することができるので、その単一又は複数のファイル或いはデータを含む図記号を選択した状態で対応する記録媒体に記録可能か否かの判断が確実にできる。
【００２１】
請求項３に記載の発明によれば、画面表示部に表示されたファイル又はファイルが含まれるホルダを、保存されるデータ量に応じて表示色又はパターンを変えることで、そのファイルの容量を一目で確認することができるので、プロパティでファイルの容量を確認する必要がなく対応する記録媒体の選択が容易にできる。
【００２２】
請求項４に記載の発明によれば、ホルダを複数選択した状態で、その選択した範囲全体の容量により表示色又はパターンが変わることで、選択したホルダ別にプロパティでデータの容量を確認する必要がなく全体の容量を容易に把握することができる。
【００２３】
請求項５に記載の発明によれば、データ容量に応じた図記号の図柄、表示色又はファイル、ホルダの表示色、表示パターンを視覚上識別可能な形態でのみ使用者がそれぞれの好みで任意に設定されるので、図記号、ファイル、ホルダの図柄、表示色又は表示パターンの勘違いによる容量の確認ミスを防止することができる。
【発明を実施するための最良の形態】
【００２４】
本発明の実施例を以下に説明する。
【実施例１】
【００２５】
図１ないし図４には、本発明の実施例１が示されている。図１は実施例１に係りファイルが有するデータの容量別に当該ファイルを異なる表示色で表示するようにした説明図である。
【００２６】
図１には、４つのデータファイルＦ１，Ｆ２，Ｆ３，Ｆ４が示されており、１ＭＢの容量を有するデータファイルＦ１には黄色（図中、白塗りで示す）、５００ＭＢの容量を有するデータファイルＦ２には橙色（右上りハッチ）、４ＧＢの容量を有するデータファイルＦ３には水色（右下がりハッチ）、１０ＧＢの容量を有するデータファイルＦ４には赤色（クロスハッチ）が、それぞれ異なる４色の表示色で表示されるよう設定されている。
【００２７】
そこで、各データファイルの容量に対応する記録媒体として、１ＭＢの容量を有する黄色のデータファイルＦ１にはＦＤＤが対応し、５００ＭＢの容量を有する橙色のデータファイルＦ２にはＣＤが対応し、４ＧＢの容量を有する水色のデータファイルＦ３にはＤＶＤがそれぞれ対応できることが一目で判断できるようになっている。なお、それ以上のデータ容量（１０ＧＢ）を有する赤色のファイルＦ４は、現在ではＤＶＤでも記録することができないが、将来的にはＨＤＤＶＤ、ＢＤで記録が可能になるとされている。なお、表示色の他にも、表示パターンを変えることでも同様の効果が得られる。
【００２８】
このように、使用する記憶媒体のデータ容量に応じた表示色、又は表示パターンで設定したデータファイル（以下ファイルと称する）を選択すれば、瞬時に記録可能な記録媒体を選択することができ、異なる表示色、又は表示パターンによって同一のファイルの選定を不可能にし、記録媒体の選択ミスや記録の失敗を防止することができる。
【００２９】
また、記録媒体としては、他にもＵＳＢメモリ、ＳＤカード、ＣＦなどがあり、それらの容量はＭＢ〜ＧＢまで多種あるが、使用者はその場合でも所有する各種記録媒体の容量に応じた表示色や表示パターンを設定することで、設定された各種表示色や表示パターンに対応する記憶媒体を選択すれば良い。尚、表示色として、上記以外の色も使用可能であることは勿論であり、視覚上識別可能な形態でのみ任意に設定することができ、表示パターンに付いても同様である。
【００３０】
図２は、パソコンの表示画面に表示されている複数のデータファイルの内、選択された範囲のデータファイル全体の有するデータ容量に応じた表示色で表示するようにした説明図である。
【００３１】
図２において、パソコン（パーソナルコンピュータ）の表示画面には、１ＭＢの容量を有する黄色表示のファイルＦ１と、１００ＭＢの容量を有するファイルＦ２ａと、２００ＭＢの容量を有するファイルＦ２ｂと、１５０ＭＢの容量を有するファイルＦ２ｃとが表示されており、これら４つのファイルが選択されると、選択された範囲のファイルＦ１を含む橙色表示のファイルＦ２ａ，Ｆ２ｂ，Ｆ２ｃは橙色に表示される。
【００３２】
これにより、選択された４つのファイルＦ１，Ｆ２ａ，Ｆ２ｂ，Ｆ２ｃの総容量が４５１ＭＢであることから５００ＭＢ以内で有る事が解る。すなわち、例えば、複数のファイルを一度に記憶媒体に保存する場合には、選択した範囲のファイル全体の表示色を確認することで、保存しようとする記録媒体を保存できるか否かが一目で確認することができる。
【００３３】
また、選択したファイルの容量が記録媒体の容量以上の場合は、選択したファイルの何れかを除き、再度選択した範囲の表示色又は表示パターンの変化を見ることでそれらが保存可能な否かを瞬時に判断することができる。
【００３４】
次に、図３は実施例１に係り単一又は複数のファイルを含むホルダを、単一又は複数のファイルが有するデータの容量別に異なる表示色で表示するようにした説明図である。
【００３５】
図３には、４つのホルダＨ１，Ｈ２、Ｈ３、Ｈ４が示されており、これらのホルダＨ１〜Ｈ４には所定の容量を有する単一または複数のファイルが含まれており、１ＭＢの容量を有するホルダＨ１には黄色、５００ＭＢの容量を有するホルダＨ２には橙色、４ＧＢの容量を有するホルダＨ３には水色、１０ＧＢの容量を有するホルダＨ４には赤色が、それぞれ異なる４色の表示色で表示されるよう設定されている。
【００３６】
図３の場合は、ホルダＨ1及びホルダＨ２は、黄色ないし橙色で表示されているので、記録媒体ＦＤＤないしＣＤをそれぞれ対応することができ、ホルダＨ３は、例えば１ＧＢのデータ量を有することから水色で表示され、ホルダＨ４も１．５ＧＢのデータ量を有することから水色で表示されるので、記録媒体ＤＶＤをそれぞれ対応できることが一目で判断できる。
【００３７】
図４は、パソコンの表示画面に表示されている複数のホルダの内、選択された範囲のホルダ全体の有するデータ容量に応じた表示色で表示するようにした説明図である。
【００３８】
図４において、パソコンの表示画面には、図３に示されるような１ＭＢの容量を有する黄色表示のホルダＨ１と、１００ＭＢの容量を有する橙色のホルダＨ２と、１ＧＢのデータ量を有する水色のホルダＨ３と、１．５ＧＢのデータ量を有する水色のホルダＨ４が表示されており、これら４つのファイルが選択されると、選択された範囲の黄色表示のホルダＨ１及び橙色表示のホルダＨ２を含む水色表示のホルダＨ３，ホルダＨ４は水色に表示される。
【００３９】
これにより、選択された４つのホルダＨ１，Ｈ２，Ｈ３，Ｈ４の総容量が３．００１ＧＢであることから４ＧＢ以内で有る事が解る。すなわち、例えば、複数のホルダを一度に記憶媒体に保存する場合には、選択した範囲のホルダ全体の表示色を確認することで、保存しようとする記録媒体を保存できるか否かが一目で確認することができる。
【実施例２】
【００４０】
次に、実施例２に付き、図５、図６を参照しながら画像記録データの管理処理に付き説明する。図５は画像記録のブロック図であり、図６は画像記録データの管理処理を示すフローチャートである。
【００４１】
図５において、Ｒはハードディスクレコーダで、ハードディスクレコーダＲは、当該ハードディスクレコーダＲ全体の制御を行う主制御部１１と、アンテナ２３より入力された複数の放送局のテレビ放送信号から所望のチャンネルのチューナ１２で取り出されたビデオ信号或いは外部入力端子を介して他のＡＶ装置から入力されたビデオ信号をデジタル信号に変換するＡ／Ｄ変換器１３と、Ａ／Ｄ変換器１３から入力されたデジタル信号を符号化してデジタルデータを録画された番組データとして記録する圧縮処理部１４と、この圧縮処理部１４より符号化されたデジタル信号を録画された番組データとして記録するハードディスク（ＨＤＤ）１７と、このＨＤＤ１７に記録されたデジタルデータを記録するＤＶＤ２４と、上記ＨＤＤ１７に記録されたデジタルデータを読み出して複合化しＴＶモニタ等の外部機器に出力するＤ／Ａ変換器１８と、前面パネル（図示せず）に設けられたチャンネル設定などを行うリモコン装置２１からの光信号（操作信号）を受光して電気信号に変換するリモコン受光部２０と、液晶ディスプレイやＬＥＤランプ等で構成されるリモコン装置２１又は操作スイッチ１９からの操作内容等を表示する表示部２２で構成される。なお、本実施形態では、ハードディスクレコーダＲでは、圧縮処理部１４と伸長処理部１５の動作のみを制御する複制御部１６を設け、主制御部１１の負担を軽減している。
【００４２】
また、上記主制御部１１は、各部の制御および所定の演算を行いハードディスクレコーダＲの動作を制御するＣＰＵ（中央処理装置）３０と、このＣＰＵ３０の作業用メモリとして用いられるとともにＨＤＤ１７に記録した番組に関する情報等を記憶するＲＡＭ３１と、ＣＰＵ３０で実行される制御用プログラム等が記録されたＲＯＭ３２で構成される。
【００４３】
また、本実施形態におけるＨＤＤ１７は８０ＧＢの容量を有し、約１時間の番組を録画可能な２ＧＢを１ブロックとして論理的に４０分割され、それぞれのブロックにおけるアクセス状態を管理するアクセス管理手段、及び書き込み可能領域管理手段として機能する。また、主制御部１１は、番組を録画する際にＨＤＤ１７の空きブロックにデータを書き込む録画手段、録画された番組を再生する再生手段としても機能する。
【００４４】
上記のような、ハードディスクレコーダＲにおいて、番組を録画する場合は、ユーザによる録画操作に基づいて、操作スイッチ１９或いはリモコン受光部２０から録画指令が主制御部１１に送信され、主制御部１１が録画動作のための制御手順を実行する。これにより、外部から入力されたテレビ放送信号は、デジタル化されＨＤＤ１７に記録される。また、ＨＤＤ１７に記録されたデジタルデータは、これを記録可能なデータ容量を有するＤＶＤ２４に記録される。
【００４５】
一方、ＨＤＤ１７に録画した番組を再生する場合は、ＨＤＤ１７の記録内容の一覧をＴＶモニタの画面に表示させて、ユーザによる番組選択・再生操作に基づいて、操作スイッチ１９或いはリモコン受光部２０から再生指令を主制御部１１に送信し、主制御部１１は再生動作のための制御手順を実行する。これにより、ＨＤＤ１７に記録されたデジタルデータが主制御部１１により読み出され、ＴＶモニタに再生映像が表示される。
【００４６】
テレビ番組を録画する際は、主制御部１１により録画動作が制御され、書き込み可能領域に残っているブロックにデータが記録されることとなる。具体的には図６に示すフローチャートに従って録画動作が制御される。
【００４７】
即ち、図６において、ステップＳＴ１でリモコンによりＴＶ（テレビ）のスイッチを入れるか、ステップＳＴ２でリモコンによりリモコンレコーダのスイッチを入れることでテレビ画面が表示され、ステップＳＴ１６では記録メディアがセットされる。
【００４８】
次のステップＳＴ３では、リモコンでレコーダ画面に切り替えることで、レコーダ画面が表示される。ステップＳＴ４においてリモコンにより録画条件を設定した後ステップＳＴ６ではＨＤＤの空き容量を検出し、ステップＳＴ７で上記空き容量の大小を所定量に対して比較して空き容量が所定量より大きい場合は、ステップＳＴ５で録画条件を見直してステップＳＴ４に戻る。
【００４９】
空き容量が所定量より小さい場合は、ステップＳＴ８に移行して録画が開始されてステプＳＴ９においてＨＤＤ１７に保存され、録画が停止される（ステップＳＴ１０）。次に、ステップＳＴ１１ではＨＤＤ内の録画データを検出し、次いで、ステップＳＴ１２でＨＤＤ内の録画データ容量を検出して録画データ容量に応じた図記号又は表示色を表示し、ステップＳＴ１３でその録画データを選択する。
【００５０】
一方、前述したステップＳＴ１６で記録メディアがセットされると、ステップＳＴ１７で当該記録メディアが認識されてステップＳＴ１８に移行し、リモコンにより記録メディアの初期化が設定されるとステップＳＴ１９で記録メディアの容量が検出され、この記録メディアのデータ容量に応じて図記号としてのアイコン（登録商標）又はその表示色が表示される。
【００５１】
ステップＳＴ１３及びステップＳＴ１９の処理が終了すると、ステップＳＴ１５に移行
する。このステップＳＴ１５では、録画対象となる記録媒体と選択録画の図記号又は表示色（或いはファイル又はファイルが含まれるホルダ）とが比較され、当該記録媒体のデータ記録容量と図記号又は表示色が一致しない場合は、ステップＳＴ１４で録画内容を見直してステップＳＴ１３に戻るか、ステップＳＴ２０で記録メディア容量を見直してステップＳＴ１６に移行する。
【００５２】
そして、ステップＳＴ１５で、記録媒体のデータ記録容量と図記号又は表示色が一致した場合は、ステップＳＴ２１でハードディスク装置から選択された録画データがメディアに記録され、このフローが終了する。
【００５３】
前述したように、本発明によれば、例えば、画像記録装置内のデータをＤＶＤ等の記録媒体に記録する場合に、記録したテレビ番組のデータ量が上記記録媒体の記録容量を上回った場合、自動的にトランスコードが行われ記録した画像に比べて劣化した画質で記録、保存されるのを防止することができる。
【００５４】
また、ビデオやテレビ番組の録画を行う際に、ＨＤＤに保存したビデオ、テレビ番組のデータ量がＨＤＤの容量近くに達したときに、まとめてＤＶＤに記録する際にこのＤＶＤの容量不足による記録作業の繰り返しを未然に防止することができる。
【実施例３】
【００５５】
次に、実施例３に付き、図７、図８を参照しながらパソコンによるデータ記録の管理処理に付き説明する。図７はパソコンによるデータ記録のブロック図であり、図８はパソコンによるデータ記録の管理処理フローチャートである。
【００５６】
図７において、符号３４はＣＰＵ（中央処理装置）、３５はＲＯＭ及びＲＡＭからなるメモリ、３６はメモリ３５及び周辺バス３７を、システムバス３８を介してＣＰＵ３４に接続するＣＰＵ−バスコントローラである。また、４０はＣＲＴディスプレイ、４１はＣＲＴディスプレイを駆動するディスプレイコントローラ、４２はキーボード、４３はキーボード４２の操作されたキーに対応するキーデータを周辺バス３７へ出力するキーボードコントローラ、４５はＨＤＤコントローラ４４を介して周辺バス３７に接続されるハードディスク、４７はＦＤＤコントローラ４６を介して周辺バス３７に接続されるＦＤＤ（フロッピィーディスク）、４９は光ディスクコントローラ４８を介して周辺バス３７に接続される光ディスク、５１はコントローラ５０を介して周辺バス３７に接続されるＵＳＢデバイスである。
【００５７】
また、図８に示すフローチャートにおいて、ステップＳＴ１０１でパソコンの電源を入れることで表示画面が表示され、ステップＳＴ１１１では各種新記録メディアがセットされる。
【００５８】
次のステップＳＴ１０２では、ハードディスクＨＤＤ１７のデータ容量毎の表示色が設定される。ステップＳＴ１０３でデータの取り込み又はデータが作成されると、これらデータがＨＤＤ１７に保存される（ステップＳＴ１０４）。
【００５９】
次に、ステップＳＴ１０５でハードディスクＨＤＤ１７の容量が検出されると、ステップＳＴ１０６でハードディスクＨＤＤ１７の容量に応じた図記号又は表示色が表示され、ステップＳＴ１０７で記録アプリケーションが起動されて、選択曲のデータ容量に応じた図記号又は表示色が表示されると、ステップＳＴ１０８でメディアに保存するＨＤＤ内のデータが選択される。
【００６０】
一方、前述したステップＳＴ１１１で各種新記録メディアがセットされると、ステップＳＴ１１２で当該記録メディアが認識されてステップＳＴ１1３で記録メディアの容量が検出され、選択曲のデータ容量に応じた図記号又は表示色が表示される。
【００６１】
ステップＳＴ１０８及びステップＳＴ１１３の処理が終了すると、ステップＳＴ１１０へ移行する。このステップＳＴ１１０では、記録メディアの図記号又は表示色と、選択されたＨＤＤ内のデータ容量に応じた図記号又は表示色（或いはファイル又はファイルが含まれるホルダ）とが比較され、これらが一致しない場合は、ステップＳＴ１０９で記録データの内容を見直してステップＳＴ１０８に戻るか、ステップＳＴ１１４で記録メディアを再選択してステップＳＴ１１１に移行して、このステップＳＴ１１１からの処理が繰り返される。
【００６２】
そして、ステップＳＴ１１０で記録メディアの図記号又は表示色と選択されたＨＤＤ内のデータ容量に応じた図記号又は表示色が一致した場合は、ステップＳＴ１１５で選択されたデータがメディアに記録され、このフローが終了する。
【００６３】
このように本発明によれば、データの容量が記録媒体の容量を上回る場合は、記録途中での容量オーバーによるやり直し等の無駄な作業を防止して、ファイルデータやホルダ容量に対応する記録媒体を選定することで、一度にデータを記録媒体に確実に記録することができる。
【実施例４】
【００６４】
次に、実施例４に付き、図９、図１０を参照しながら携帯電話によるデータ記録の管理処理に付き説明する。図９は携帯電話で外部記録媒体へ記録するブロック図であり、図１０は携帯電話によるデータ記録の管理処理フローチャートである。
【００６５】
図９において、Ｃは携帯電話装置であり、この携帯電話装置Ｃは、ＰＤＣ、ＧＳＭ、ＣＤＭＡ、Ｗ−ＣＤＭＡ、ＰＨＳなどの通信方式を採用した携帯可能なセルラー無線通信端末であり、音声通話、電子メールの送受信、デジタルカメラ撮影などの機能を有している。外部記録メディア５３は、携帯電話装置Ｃに着脱可能に装着される記録媒体であり、例えばメモリスティック、ＳＤメモリカード、スマートメディア（登録商標）などの不揮発性半導体メモリからなる。また、携帯電話装置Ｃへの装着時には、携帯電話装置Ｃの筐体内に内蔵される。
【００６６】
携帯電話装置Ｃは、ＣＰＵ５５、表示部５６、キー入力部５７、無線制御部５８、内部メモリ６０、外部記録メディア５３と接続する外部記録メディア制御部６２により構成される。
【００６７】
ＣＰＵ５５は、携帯電話装置Ｃの各ブロック５５〜６２を制御する制御手段である。表示部５６は、ユーザに対し画面表示を行う表示装置、例えばＬＣＤであり、ＣＰＵ５５が表示制御を行っている。キー入力部５７は、ユーザの操作入力手段であり、テンキー、ファンクションキーなどからなる。ユーザがキー操作を行うと、操作入力信号がＣＰＵ５５へ出力される。
【００６８】
無線制御部５８は、図示しない基地局との間で電波の送受信を行って、通話、電子メールの送受信、インターネット接続、ｉ−ｍｏｄｅ（登録商標）接続を行っている。内部メモリ６０は、携帯電話装置Ｃの各種データを記憶保持する記憶手段であり、携帯電話装置Ｃに関するデータが記憶保持されている。例えば、通話や電子メールの送受信に用いられる電話帳データ、ダウンロードした音楽データや画像データ、デジタルカメラで撮影した画像データなどが記憶されている。
【００６９】
外部記録メディア制御部６２は、外部記録メディア５３へのデータ書き込み、外部記録メディア５３からのデータ読み出しを制御している。このデータ入出力は、ＣＰＵ５５からのアクセス要求に基づいて行われる。外部記録メディア５３は、図示しないＤＳＰ及びバッファメモリを内蔵し、ＤＳＰがアクセス要求に基づいて起動され、外部記録メディア５３へのデータ書き込み及びデータ読み出しは、バッファメモリを介してＤＳＰにより実行される。
【００７０】
次に、携帯電話によるデータ記録の管理処理に付き説明する。図１０に示すフローチャートにおいて、先ず、ステップＳＴ２０１で携帯電話の電源を入れることで待ち受け画面が表示され、ステップＳＴ２１１ではメディアがセットされる。
【００７１】
つぎのステップＳＴ２０２において音楽サイトへアクセスされ、ステップＳＴ２０３で曲の選択がされると、ステップＳＴ２０４で選択曲がダウンロードされて内部メモリに保存される（ステップＳＴ２０５）。
【００７２】
次に、ステップＳＴ２０６で内部メモリファイルを開き、ステップＳＴ２０７でメディアへ保存する曲を選択すると、ステップＳＴ２０８でその選択曲のデータ容量が検出されて選択曲のデータ容量に応じた図記号又は表示色が画面表示部に表示される。
【００７３】
一方、前述したステップＳＴ２１１でメディアがセットされ、ステップＳＴ２１２でメディアが認識されると、ステップＳＴ２１３でメディアの初期化設定が行われてステップＳＴ２１５でメディアの容量が検出され、メディアの容量に応じた図記号又は表示色が画面表示部に表示される。
【００７４】
ステップＳＴ２０８、ステップＳＴ２１５の処理が終了すると、ステップＳＴ２１０へ移行する。このステップＳＴ２１０では、記録メディアの図記号又は表示色と、選択曲のデータ容量に応じた図記号又は表示色（或いはファイル又はファイルが含まれるホルダ）とが比較され、これらが一致しない場合は、ステップＳＴ２０９で選択曲を見直してステップＳＴ２０７に戻るか、ステップＳＴ２１６でメディアの容量を見直してステップ２１１へ移行して、このステップＳＴ２１１からの処理が繰り返される。
【００７５】
ステップＳＴ２１０で記録メディアの図記号又は表示色と選択曲のデータ容量に応じた図記号又は表示色が一致した場合は、ステップＳＴ２１７で内部メモリから選択されたデータがメディアに記録され、このフローが終了する。
【図面の簡単な説明】
【００７６】
【図１】本発明の実施例１に係り、ファイルが有するデータの容量別に当該ファイルを異なる表示色で表示するようにした説明図である。
【図２】同じくパソコンの表示画面に表示されている複数のデータファイルの内、選択された範囲のデータファイル全体の有するデータ容量に応じた表示色で表示するようにした説明図である。
【図３】同じく単一又は複数のファイルを含むホルダを、単一又は複数のファイルが有するデータの容量別に異なる表示色で表示するようにした説明図である。
【図４】同じく、パソコンの表示画面に表示されている複数のホルダの内、選択された範囲のホルダ全体の有するデータ容量に応じた表示色で表示するようにした説明図である。
【図５】実施例２に係る画像記録のブロック図である。
【図６】同じく、画像記録データの管理処理を示すフローチャートである。
【図７】実施例３に係るパソコンによるデータ記録のブロック図である。
【図８】同じく、パソコンによるデータ記録の管理処理フローチャートである。
【図９】実施例４に係る携帯電話で外部記録媒体へ記録するブロック図である。
【図１０】同じく、携帯電話によるデータ記録の管理処理フローチャートである。
【図１１】パソコンの表示画面に表示される従来のファイル及びホルダの説明図である。
【符号の説明】
【００７７】
１１                主制御部
１２                チューナ
１３                Ａ／Ｄ変換器
１４                圧縮処理部
１５                伸長処理部
１６                複制御部
１８                Ｄ／Ａ変換器
１９                操作スイッチ
２０                リモコン受光部
２１                リモコン装置
２２                表示部
２３                アンテナ
３４                ＣＰＵ（中央処理装置）
３５                メモリ
３７                周辺バス
３８                システムバス
４２                キーボード
４４                ＨＤＤコントローラ
４６                ＦＤＤコントローラ
４８                光ディスクコントローラ
５０                ＵＳＢコントローラ
５３                外部記録メディア
５６                表示部
５７                キー入力部
５８                無線制御部
６０                内部メモリ
６２                外部記録メディア制御部
Ｃ                  携帯電話装置
Ｆ１〜Ｆ４          データファイル
Ｆ２ａ〜Ｆ２ｃ      ファイル
Ｈ１〜Ｈ４          ホルダ
Ｒ                  ハードディスクレコーダ
【図１】
2007334700.tif 000003
【図２】
2007334700.tif 000004
【図３】
2007334700.tif 000005
【図４】
2007334700.tif 000006
【図５】
2007334700.tif 000007
【図６】
2007334700.tif 000008
【図７】
2007334700.tif 000009
【図８】
2007334700.tif 000010
【図９】
2007334700.tif 000011
【図１０】
2007334700.tif 000012
【図１１】
2007334700.tif 000013